(57)【要約】      （修正有）【課題】凹凸が有るような吸着面に対しても、吸盤体の凹面と吸着面とに囲まれた部分が負圧となり、吸盤体を吸着面に吸着することができる吸盤フックを提供する。【解決手段】吸盤フックは、吸盤体を吸着面に吸着させる際、吸着面と接触する吸盤体の凹面に備えられたリング状の弾性部が、凸面側から円形押圧板により押圧されることで、凹凸を有する吸着面の凹部に入り込む。これにより、吸着面と吸盤体の凹面とに囲まれた部分に外部から空気が入り込まずに密閉され、吸着面と吸盤体の凹面とに囲まれた部分の空気を押し出すように吸盤体を吸着面に押しつけることで、吸盤体凹面と吸着面とに囲まれた部分が負圧となる。したがって、凹凸を有するような吸着面であっても吸盤フックを備え付けることができる。【選択図】図１
0003134450.tif 000002
【実用新案登録請求の範囲】
【請求項１】
吸着面に吸着する吸盤体と、
前記吸着面の表面形状に合わせて変形し、前記吸盤体の凹面の外周よりも内側に、所定の幅を有するリング状に備えられる弾性部と、
前記吸盤体の凸面に備えられるフック体と、
前記吸盤体と前記フック体との間に備えられ、前記弾性部を前記吸盤体の凸面側から押圧する円形押圧板とを有することを特徴とする吸盤フック。
【請求項２】
前記吸盤体中心には、該吸盤体の凹面と凸面とを繋ぐような穴が設けられ、
前記フック体は、前記穴と接続されたシリンダー部と、
前記シリンダー部の内側に備えられ、前記シリンダー部から引き出すことで前記吸盤体及び前記吸着面の間を負圧とし、フックと一体形成されたピストン部とを有する請求項１に記載の吸盤フック。
【請求項３】
前記円形押圧板と前記吸盤体の凸面との間には、前記円形押圧板を前記吸盤体の凸面から引き離すように備えられるスプリングが備えられ、
前記シリンダー部の外側には、回転可能に備えられ、前記吸盤体を前記吸着面に吸着させる際に前記円形押圧板を前記吸盤体の凸面と接触させるように移動させる円盤移動レバーを備えることを特徴とする請求項２に記載の吸盤フック。
【請求項４】
前記吸盤体の凹面には、前記リング状の弾性部の幅よりも太い幅を有するリング状の溝部が備えられ、
前記弾性部は、前記溝部に隙間を空けて備えられていることを特徴とする請求項３に記載の吸盤フック。
【請求項５】
前記ピストン部には、前記シリンダー部に引っ掛けられるストッパーが備えられ、
前記シリンダー部の内部には、前記ピストン部を挿通するように備えられる第２のスプリングと、前記ストッパーを引っ掛ける引掛部を有することを特徴とする請求項４に記載の吸盤フック。
【請求項６】
前記フック体の前記ピストン部には、前記レバーによって、前記円形押圧板を前記吸盤体の凸面に接触させるように移動させた際に、前記吸着面と接触するローラが備えられることを特徴とする請求項５に記載の吸盤フック。
【請求項７】
前記フック体には、リング体が備えられていることを特徴とする請求項６に記載の吸盤フック。
【考案の詳細な説明】
【技術分野】
【０００１】
本考案は、所定の吸着面に吸着する吸盤体の凸面側にフック体を備える吸盤フックに関するものである。
【背景技術】
【０００２】
物を引っ掛けるフック等と、壁などの吸着面に吸着する吸盤体とを有する吸盤フックがある。なかでも、吸盤が容易に外れることがないようにするために、吸盤面の凹部の中央にウレタン樹脂からなるゲルパッドを備えた吸盤フックがある（例えば、特許文献１参照）。
【０００３】
【特許文献１】実用新案登録第３１２０１７６号公報
【考案の開示】
【考案が解決しようとする課題】
【０００４】
しかしながら、特許文献１をはじめとする従来の吸盤フックは、吸着面の表面の状態に応じて吸着させることができない場合があった。例えば、表面がざらついているような多少の凹凸があるような吸着面の場合、吸盤面の凹凸から吸盤体の凹面と吸着面とに囲まれた部分に空気が入り込むため、吸盤体の凹面と吸着面とに囲まれた部分が負圧とならない。したがって、吸盤体を吸着させることができず、吸盤フックを備えることができない。
【０００５】
そこで、本考案は、例えば表面がざらついているような多少の凹凸が有るような吸着面に対しても、吸盤体の凹面と吸着面とに囲まれた部分が負圧となり、吸盤体を吸着面に吸着することができる吸盤フックを提供することを目的とする。
【課題を解決するための手段】
【０００６】
本考案の吸盤フックは、吸着面に吸着する吸盤体と、前記吸着面の表面形状に合わせて変形し、前記吸盤体の凹面の外周よりも内側に、所定の幅を有するリング状に備えられる弾性部と、前記吸盤体の凸面に備えられるフック体と、前記吸盤体と前記フック体との間に備えられ、前記弾性部を前記吸盤体の凸面側から押圧する円形押圧板とを有することを特徴とする。
【０００７】
本考案の吸盤フックによれば、吸盤体を吸着面に吸着させる際、吸着面と接触する吸盤体の凹面に備えられたリング状の弾性部が、凸面側から円形押圧板により押圧されることで、凹凸を有する吸着面の凹部に入り込む。これにより、吸着面と吸盤体の凹面とに囲まれた部分に外部から空気が入り込まずに密閉され、吸着面と吸盤体の凹面とに囲まれた部分の空気を押し出すように吸盤体を吸着面に押しつけることで、吸盤体凹面と吸着面とに囲まれた部分が負圧となる。したがって、凹凸を有するような吸着面であっても吸盤フックを備え付けることができる。
【０００８】
また、本考案の吸盤フックにおける前記吸盤体の中心には、該吸盤体の凹面と凸面とを繋ぐような穴が設けられ、前記フック体は、前記穴と接続されたシリンダー部と、前記シリンダー部の内側に備えられ、前記シリンダー部から引き出すことで、前記吸盤体及び前記吸着面の間を負圧とし、フックと一体形成されたピストン部とを有している。
【０００９】
かかる構成の吸盤フックによれば、ピストン部をシリンダー部から引き出すことで、吸盤体の中心に設けられた凹面と凸面とを繋ぐような穴を介して、吸盤体の凹面と吸着面とに囲まれた部分から空気が引き出される。したがって、吸盤体の凹面と吸着面とに囲まれた部分がより負圧となり、吸着面への吸盤体の吸着力をより強くすることができる。すなわち、凹凸を有するような吸着面であっても、より強力に吸盤フックを備えることができる。
【００１０】
さらに、本考案の吸盤フックにおける前記円形押圧板と前記吸盤体の凸面との間には、円形押圧板を前記吸盤体の凸面から引き離すように備えられるスプリングが備えられ、前記シリンダー部の外側には、回転可能に備えられ、前記吸盤体を前記吸着面に吸着させる際に前記円形押圧板を前記吸盤体の凸面と接触させるように移動させる円盤移動レバーを備えることを特徴とする。
【００１１】
かかる構成の吸盤フックによれば、円形押圧板を吸盤体の凹面に押しつけるように円盤移動レバーを動かし、固定することで、円盤移動レバーを固定する際に吸盤体の凸面に掛かる力に加え、スプリングの復元力が加わることになる。したがって、吸盤体の凸面側から弾性部をより強く押圧する。そのため、吸盤体の凹面と吸着面とに囲まれた部分がより密閉することができる。すなわち、凹凸を有するような吸着面であっても、より強力に吸盤フックを備えることができる。
【００１２】
またさらに、本考案の吸盤フックにおける前記吸盤体の凹面には、前記リング状の弾性部の幅よりも太い幅を有するリング状の溝部が備えられ、前記弾性部は、前記溝部に隙間を空けて備えられていることを特徴とする。
【００１３】
かかる構成の吸盤フックによれば、リング状の溝部と弾性部との間に設けられる隙間により、吸盤体が吸着面に押しつけられることで、弾性部が吸盤体の形状に合わせて変形する。このとき、設けられた隙間に弾性部が入り込むことで、溝部を除く吸盤体の凹面全体を吸着面に接触させることができる。すなわち、凹凸を有するような吸着面であっても、より強力に吸盤フックを備えることができる。
【００１４】
さらにまた、前記ピストン部には、前記シリンダー部に引っ掛けられるストッパーが備えられ、前記シリンダー部の内部には、前記ピストン部を挿通するように備えられる第２のスプリングと、前記ストッパーを引っ掛ける引掛部を有することを特徴とする。
【００１５】
かかる構成の吸盤フックによれば、ピストン部のストッパーを引掛部に引っ掛けることで、ピストン部を引き出した状態で固定できる。そして、吸盤体の凹面と吸着面とに囲まれた部分を負圧の状態のまま維持することができるようになる。
【００１６】
また、本考案の吸盤フックにおける前記フック体の前記ピストン部には、前記レバーによって、前記円形押圧板を前記吸盤体の凸面に接触させるように移動させた際に、前記吸着面と接触するローラが備えられることを特徴とする。
【００１７】
かかる構成の吸盤フックによれば、吸着面と接触するローラによって、物を引っ掛けた際にフック体と吸盤体との接合部分に掛かる力を分散させることができる。また、吸盤体の一部が吸着面から引き離されるような方向に加わる力を弱めることができ、凹凸を有するような吸着面であっても、より強力に吸盤フックを備えることができる。さらに、吸着面とローラとの摩擦力が小さいため、シリンダー部が引き出しやすくなる。
【００１８】
さらに、本考案の吸盤フックにおける前記フック体には、リング体が備えられていることを特徴とする。かかる構成の吸盤フックによれば、リング体に棒体を通して使用することも可能となる。
【考案の効果】
【００１９】
本考案の吸盤フックは、吸盤体を吸着面に吸着させる際、吸着面と接触する吸盤体の凹面に備えられたリング状の弾性部が、凸面側から円形押圧板により押圧されることで、凹凸を有する吸着面の凹部に入り込む。これにより、吸着面と吸盤体の凹面とに囲まれた部分に外部から空気が入り込まずに密閉され、吸着面と吸盤体の凹面とに囲まれた部分の空気を押し出すように吸盤体を吸着面に押しつけることで、吸盤体凹面と吸着面とに囲まれた部分が負圧となる。したがって、凹凸を有するような吸着面であっても吸盤フックを備え付けることができる。
【考案を実施するための最良の形態】
【００２０】
以下、本考案の吸盤フックについて図面を参照しながら詳細に説明する。なお、本考案は、以下の記述に限定されるものではなく、要旨を逸脱しない範囲で適宜変更可能である。
【００２１】
図１は、本考案の吸盤フックの斜視図である。本考案の吸盤フックは、吸盤体１と、吸盤体１の凸面に備えられるフック体３と、吸盤体１とフック体３との間に備えられる円形押圧板５とを有している。
【００２２】
図２は、吸盤体の凸面側を示す斜視図であり、図３は、吸盤体の凹面側を示す図である。吸盤体１には、図２のように、その凸面の略中央にフック体３を勘合するための窪みを有し、中央に向かって徐々に細くなる略円錐形状の突起１０が形成されている。この吸盤体１は、塩化ビニル樹脂などの可撓性のある樹脂などで形成されている。
【００２３】
また、吸盤体１の端部には、その端部を縁取るような平たいリング状の縁取り体１１が取り付けられている。この縁取り体１１は、吸盤体１よりも硬質なゴムからなる。この縁取り体１１には、図３のように、吸盤体１の凹面側に吸盤体１の外周に沿った円形の溝１２が複数設けられている。
【００２４】
さらに、吸盤体１には、吸盤体１の外周よりも内側で外周近傍の凹面に、外周に沿った所定の幅の溝部１５がリング状に形成されている。そして、その溝部１５には、溝部１５よりも細い幅を有するリング状の弾性部１６が備えられている。すなわち、弾性部１６は、吸盤体の凹面の外周よりも内側にリング状に備えられている。また、この弾性部１６は、溝部１５内の内側に沿うように備えられており、溝部１５の外側には、隙間１７が形成されている。この弾性部１６の材質は押圧することで吸着面の表面形状に合わせて変形するものであれば特に限定するものではないが、例えば熱可塑性エラストマーゴムなどの柔らかい弾性のある材質であることが好ましい。
【００２５】
図４は、本考案の吸盤フックの内部構造を説明する断面図である。吸盤体１には、凸面の突起１０の中心、すなわち吸盤体１の凸面の中心に穴１９が形成されている。この穴１９は、図４のように、吸盤体１の凸面の中心と凹面の中心とを繋ぐように貫通しており、その穴１９の大きさは、図２及び３のように、凹面側の空気が凸面側に流入することができる程度であればよい。
【００２６】
図５は、円形押圧板とフック体のシリンダー部との形状を示す斜視図である。円形押圧板５は、樹脂からなり、その中心に穴５０を有する円盤状の部材である。この円形押圧板５は、この穴５０に後述するフック体３の接続部３１が差し込まれ、吸盤体１とフック体３との間に備えられる。この円形押圧板５のフック体３側の面の端部は、吸盤体１の凸面側から弾性部１６を押圧する押圧部５２が形成されている。すなわち、円形押圧板５の大きさは、吸盤体１に備えられる弾性部１６の位置に対応する位置に、押圧部５２がある円形押圧板５の端部が配置されるような形状となっている。
【００２７】
押圧部５２は、円形押圧板５の中央近傍に比べて厚く、吸盤体１の凸面と接触する部分を吸盤体１が吸着する吸着面と略平行となるように平坦となっている。また、押圧部５２のフック体３側は、周縁に向かって徐々に吸盤体１の方向に傾斜した形状となっている。
【００２８】
この円形押圧板５と吸盤体１との間には、金属線をコイル状に巻回したスプリング５３が備えられている。このスプリング５３は、その中心に吸盤体１の突起１０が挿通されるように配置されている。このスプリング５３によって、吸盤体１を吸着面から取り外す際に、後述する押圧レバー４９を押し上げ、円形押圧板５を吸盤体１から引き離すことができる。これにより、弾性部１６への押圧が解除され、吸盤体１を吸着面から取り外しやすくする。
【００２９】
図６は、フック体のピストン部の斜視図である。フック体３は、図５及び図６のように、シリンダー部３０とピストン部４０と押圧レバー４９により構成されている。
【００３０】
シリンダー部３０は、吸盤体１の突起１０と接続する接続部３１と、ピストン部４０が差し込まれるシリンダー本体３４とにより構成されている。このシリンダー部３０は、例えば、アクリルなどの合成樹脂により形成されている。
【００３１】
接続部３１は、吸盤体１の突起１０を外側から覆い、突起１０の窪みに勘合するような形状となっている。そして、接続部３１は、図４のように、内部を貫通するような貫通穴３２が形成されている。この貫通穴３２は、吸盤体１の突起１０に接続部３１が勘合されることで、吸盤体１の凸面側の穴１９と接続されるようになっている。
【００３２】
シリンダー本体３４は、内部を中空とした部材で、一方端部は、シリンダー部３０の全体形状が鉤型となるように、接続部３１が接続されている。また、シリンダー本体３４の他方端部は開口３３によって解放された形状となっており、この開口３３からピストン部４０が差し込まれる。シリンダー本体３４の内部は、図４のように、接続部３１の貫通穴３２と接続されている。すなわち、シリンダー本体３４の内部は、接続部３１の貫通穴３２を介して、吸盤体１の穴１９と接続されている。
【００３３】
シリンダー本体３４の開口３３の近傍には、後述するピストン部４０に備えられたストッパー４６を引っ掛ける引掛部としての穴３５が２つ、それぞれ対向するように設けられている。なお、この穴３５の数はストッパー４６の数に対応し、穴３５の位置は、ピストン部４０が所定の位置で固定されるように、ピストン部４０に形成されるストッパー４６に対応させて設けられている。
【００３４】
押圧レバー４９は、図５のように、全体形状をＵ字状に形成され、両端部近傍でともに同じ方向に湾曲した合成樹脂からなる部材である。この押圧レバー４９の両端部は、シリンダー本体３４の外側に、回転可能に備えられる。この押圧レバー４９は、両端部を繋ぐ線を中心軸として回転させることで、湾曲した部分が円形押圧板５と接触し、円形押圧板５が吸盤体１の凸面を押圧するように移動させる。なお、この湾曲の部分は、図５のように、円形押圧板５との接触面積を大きくするように一部平坦となっている。
【００３５】
ピストン部４０は、図６のように、ピストン本体４１とフック４２とにより構成され、少なくとも中央近傍は、内部を中空とした構造となっている。このピストン部４０は、シリンダー部３０と同様に、例えばアクリルなどの合成樹脂により形成されている。
【００３６】
ピストン本体４１は、ピストン部４０の一端に形成され、その先端がシリンダー本体３４の内側と略同じ形状を有している。そして、ピストン本体４１にはオーリングが備え付けられており、ピストン本体４１のシリンダー本体３４への密閉性を向上させている。このピストン本体４１をシリンダー本体３４に差し込むことで、シリンダー本体３４の開口３３から空気の出入りがなくなる。
【００３７】
フック４２は、ピストン部４０の他端に形成され、ピストン部４０がシリンダー部３０に差し込まれた際に、先端が吸盤体１に対して反対側を向くように反った形状となっている。このフック４２には、所定の径の棒体を通すことができるリング体４３が取り付けられている。
【００３８】
また、フック４２には、フック４２の先端に対して反対側に突出した突起４４を有し、その突起４４の先端に、吸盤体１を吸着面に吸着させた際に、吸着面と接触するようにローラ４５が回転可能に備えられている。このローラ４５は、例えばゴムといった比較的弾性を有する材質により形成されている。
【００３９】
ピストン部４０には、ストッパー４６が形成されている。このストッパー４６は、内部を中空とするピストン部４０の中央近傍にＵ字状の開口が設けられ、そのＵ字状の開口に囲まれた部分に、外側に向かって突出する突起が形成されたものである。このストッパー４６は、ピストン部４０をシリンダー部３０から引き出すことで、シリンダー本体３４に設けられた穴３５からストッパー４６の突起が突出することで引っ掛かり、ピストン部４０がシリンダー部３０に固定されるようになっている。また、穴３５から突出したストッパー４６の突起をシリンダー本体３４の内部に押し入れるように押圧すると、引っ掛かりが解除されるようになっている。
【００４０】
このストッパー４６が備えられている近傍、すなわち、ピストン部４０の中央近傍には、金属線をコイル状に巻回したスプリング４７が備えられている。このスプリング４７は、その中心に、ストッパー４６が備えられたピストン部４０の中央近傍と、シリンダー部３０の開口３３の近傍との間に配置されている。このスプリング４７によって、シリンダー部３０からピストン部４０を引き出すことで、ピストン部４０をシリンダー部３０に差し込む方向に弾性力が発生する。そして、このスプリング４７は、穴３５からストッパー４６の突起が突出している場合、このストッパーを４６の突起をシリンダー本体３４の内部に押し入れるように押圧することで、スプリング４７の弾性力によってピストン部４０がシリンダー部３０に差し込まれる。
【００４１】
以下、上述のような構成を有する本考案の吸盤フックの吸着面への装着方法及び使用方法について説明する。本考案の吸盤フックは、従来の吸盤フックと異なり、例えば表面がざらついたような凹凸を有する吸着面に備え付けることができる。
【００４２】
まず、本考案の吸盤フックを吸着面に備え付ける場合、図７のように、シリンダー部３０にピストン部４０を可能な限り差し込んだ状態で、吸盤体１の凹面を吸着面に接触させ、吸盤体１の凹面側から吸盤フック全体を押圧する。このとき、図８のように、押圧レバー４９を吸盤体１に向かって回転させ、円形押圧板５を吸盤体１の凸面に接触させ、吸盤体１を押圧する。
【００４３】
これにより、吸盤体１の凹面と吸着面とに囲まれた箇所から空気が外部に排出される。そして、円形押圧板５が吸盤体１の凸面を押圧することで、対応する位置に配置されている弾性部１６が押しつぶされる。
【００４４】
円形押圧板５によって、弾性部１６を吸盤体１の凸面側から押圧されることで、押しつぶされると、弾性部１６は、吸着面の表面形状に合わせて変形する。例えば、凹凸を有するような表面を有する吸着面の場合は、その凹部に弾性部１６が入り込むように変形する。これにより、吸盤体１と吸着面とに囲まれた部分が負圧となり、吸盤体１を吸着面に吸着させることができる。
【００４５】
また、弾性部１６は、溝部１５の内部に備えられており、その溝部１５には、図１０のように、隙間１７が形成されている。弾性部１６が円形押圧板５によって凸面側から押圧されると、図１１のように、吸着面の凹凸にあわせて変形するとともに、隙間１７を埋めるように変形する。これにより、吸盤体１の凹面と吸着面との密着性が高まる。
【００４６】
吸盤体１を吸着面に吸着させた後、図８のように、フック体３のピストン部４０をシリンダー部３０から引き出し、ストッパー４６の突起をシリンダー本体３４の開口３３から突出させ、ピストン部４０をシリンダー部３０に固定する。
【００４７】
ピストン部４０をシリンダー部３０から引き出すことにより、吸盤体１の凹面と吸着面とに囲まれた部分の空気が、吸盤体１の穴１９及び接続部の貫通穴３２を介して、抜き出される。したがって、吸盤体１の凹面と吸着面とに囲まれた部分がより負圧となり、より強く吸盤体１が吸着面に吸着される。
【００４８】
このように、吸着面に備え付けられた本考案の吸盤フックは、フック４２に物を引っ掛けることができるようになる。また、本考案の吸盤フックには、リング体４３が備えられており、このリング体４３に物を通したり、棒体を通すことも可能となる。例えば、本考案の吸盤フックを２つ使用して、それぞれのリング体４３に棒体を挿通させることで、間接的に物を引っ掛けることもできる。
【００４９】
上述のように、本考案の吸盤フックに物が引っ掛けられた場合、その物の重さは全て吸盤体１及び接続部３１に付加が掛かってしまう。そして、吸盤体１のうち、シリンダー部３０の開口３３に対して反対側の部分が吸着面から引き離されるような方向に力が加わってしまう。本考案の吸盤フックでは、突起４４を介してピストン部４０に備えられたローラ４５が備えられており、このローラ４５は、吸盤体１が吸着面に吸着されたことで吸着面に接触する。したがって、吸盤フックに物が引っ掛けられた場合であっても、その重さを吸盤体１及び接続部３１だけでなく、ローラ４５でも支えることができる。したがって、吸盤体１及び接続部３１に掛かる負担を分散できる。また、吸盤体１の一部が吸着面から引き離されるような方向に加わる力を弱めることができ、凹凸を有するような吸着面であってもより強力に吸着面に吸着できる吸盤フックとなる。さらに、この場合、シリンダー部３０からピストン部４０を引き出す際、ローラ４５が吸着面に接触していても、ローラ４５によって吸着面との摩擦が少なく、容易にピストン部４０をシリンダー部３０から引き出すことができる。
【００５０】
このように、吸着面に備え付けられた本考案の吸盤フックは、以下のように、取り外される。まず、シリンダー本体３４の穴３５に突出しているストッパー４６の突起をシリンダー本体３４の内部に押し入れる。これにより、シリンダー部３０とピストン部４０との間に備えられているスプリング４７によって、ピストン部４０がシリンダー部３０に差し込まれる。ピストン部４０がシリンダー部３０に差し込まれると、吸盤体１と吸着面とに囲まれた部分の負圧が緩和される。
【００５１】
次に、押圧レバー４９を吸盤体１から離れるように回転させる。このとき、吸盤体１と円形押圧板５との間に備えられるスプリング５３によって、円形押圧板５が吸盤体１の凸面から離れる方向に移動する。これにより、吸盤体１の凸面側から弾性部１６への押圧が解除されるため、例えば凹凸を有する吸着面の凹部に入り込んでいた弾性部１６が凹部から出るように、弾性部１６が吸着面に吸着する前の形状に戻る。したがって、吸盤体１の凹面と吸着面とに囲まれた部分に掛かる負圧が解除され、吸盤体１を吸着面から取り外すことができる。
【００５２】
以上のように、本考案の吸盤フックは、例えば表面がざらついているような凹凸を有する吸着面であっても備え付けることができるが、凹凸を有さない吸着面であっても同様に備え付けることができ、より強力に吸盤体１を吸着面に吸着させることができる。
【００５３】
また、本考案の吸盤フックは、用途に合わせて大きさやフックの形状材質などを適宜変更することができる。また、ストッパー４６の形状や数は、ピストン部４０をシリンダー部３０に引っ掛けることができるものであれば、特に限定するものではない。
【図面の簡単な説明】
【００５４】
【図１】本考案の吸盤フックの斜視図である。
【図２】本考案の吸盤フックを構成する吸盤体凸部側の斜視図である。
【図３】本考案の吸盤フックを構成する吸盤体凹部側の図である。
【図４】本考案の吸盤フックの内部構造を示す断面図である。
【図５】本考案の吸盤フックを構成する円形押圧板及びフック体のシリンダー部の斜視図である。
【図６】本考案の吸盤フックを構成するフック体のピストン部の斜視図である。
【図７】壁への装着前における本考案の吸盤フックの状態を示す側面図である。
【図８】壁への装着時における本考案の吸盤フックの状態を示す側面図である。
【図９】壁への装着前における本考案の吸盤フックの吸盤体端部の状態を説明する拡大断面図である。
【図１０】壁への装着時における本考案の吸盤フックの吸盤体端部の状態を説明する拡大断面図である。
【符号の説明】
【００５５】
１  吸盤体
１０  突起
１１  縁取り体
１２  溝
１５  溝部
１６  弾性部
１７  隙間
１９  穴
３  フック体
３０  シリンダー部
３１  接続部
３２  貫通穴
３３  開口
３４  シリンダー本体
３５  穴
４０  ピストン部
４１  ピストン本体
４２  フック
４３  リング体
４４  突起
４５  ローラ
４６  ストッパー
４７  スプリング
４９  押圧レバー
５  円形押圧板
５０  穴
５２  押圧部
５３  スプリング
【図１】
0003134450.tif 000003
【図２】
0003134450.tif 000004
【図３】
0003134450.tif 000005
【図４】
0003134450.tif 000006
【図５】
0003134450.tif 000007
【図６】
0003134450.tif 000008
【図７】
0003134450.tif 000009
【図８】
0003134450.tif 000010
【図９】
0003134450.tif 000011
【図１０】
0003134450.tif 000012